(57)【要約】      （修正有）【課題】色鉛筆を収納ケースに入れ、これを手で持ち姿勢を変えずに直ちに取り出すことが出来る筆記具収納ケースを提供する。【解決手段】色鉛筆などの筆記具を収納する収納ケースで、筆記具１０の端部１０ａをケース１の内側壁に沿って移動させるようにして支持する支持具２と、端部を支持具に取りつけ、他端部３ｂをケースの小口１ａに臨まさせている帯状体３を収納しており、使用時には、帯状体を小口より外し、引き出すと、ケースに収納されている筆記具も同時に外に引き出される。この収納ケースを小口を上にしてスケッチブックなどと重ねて手で持てば簡単に筆記具の交換が出来る。【選択図】図１
0003191480.tif 000002
【実用新案登録請求の範囲】
【請求項１】
箱体の小口から筆記具を軸方向から収納するようにした筆記具収納ケースで、該収納ケースには、前記筆記具の端部を支持して、前記箱体の内側壁に沿って移動する支持具と、前記支持具に端部をとりつけ、他端部を前記箱体の前記小口に臨む弾性体である帯状体が収納されており、その前記帯状体の他端部を前記小口より引き出すと、前記箱体に収納された前記筆記具が、前記帯状体とゝもに、前記箱体から外に進出し、それと同時に、引き出された前記帯状体が前記筆記具より反対側に離れるように曲がることを特徴とする筆記具収納ケース。
【請求項２】
前記箱体の小口の前記内側壁に、前記筆記具を軸方向にスライド可能に押しつける滑り止め部材を設け、前記滑り止め部材と、該滑り止め部材によって前記帯状体に押しつけられる前記筆記具とが、前記帯状体を前記内側壁とは反対側の内側壁に押しつけ係止することを特徴とする請求項１記載の筆記具収納ケース。
【請求項３】
前記筆記具の端部を収納する支持具内に、前記筆記具の端部を保持する滑り止め部材を設けることを特徴とする請求項１記載の筆記具収納ケース。
【請求項４】
前記筆記具と相対する前記帯状体側に、前記筆記具をスライド可能に押しつける滑り部材を設け、前記滑り止め部材と、該滑り止め部材によって前記箱体の内側壁に押しつけられた前記筆記具とが前記帯状体を前記内側壁とは反対側の内側壁に押しつけ係止することを特徴とする請求項１記載の筆記具収納ケース。
【請求項５】
前記帯状体の端部が、前記筆記具の端部を挟持して支持する形状に形成されているとゝもに、前記箱体の内側壁に押しつけられて、前記帯状体を係止することを特徴とする請求項１記載の筆記具収納ケース。
【考案の詳細な説明】
【技術分野】
【０００１】  本考案は、筆記具を収納する収納ケースに関するものである。
【背景技術】
【０００２】  従来、写生する場合、筆記具（色鉛筆、鉛筆、パステル、クレパスなど）を単に蓋をとりつけた筆記具収納ケース（以下、収納ケース）に入れて持ち歩いて描いている。
【考案の概要】
【考案が解決しようとする課題】
【０００３】  色鉛筆などを使用して写生する場合、多くの本数の色鉛筆を筆記具として収納ケースに入れて持ち歩くが、収納ケースは全体に大きく偏平な蓋をつけたもので、描く場合、蓋を開けて持ち続けることは出来ず、収納ケースを手から離して下に置かねばならず、色鉛筆を交換する度ごとに姿勢を変えて下方より取らなければならず、特に立って描く場合は大変不便である。
そのため、使用時には、色鉛筆を収納ケースに入れ、これを手で持ち姿勢を変えずに直ちに取り出すことが出来る収納ケースを実現することを目的とするものである。
【課題を解決するための手段】
【０００４】  そして、本考案は、上記目的を達成するもので、本考案の第１の課題解決手段は、箱体の小口から筆記具を軸方向から収納するようにした筆記具収納ケースで、該収納ケースには、前記筆記具の端部を支持して、前記箱体の内側壁に沿って移動する支持具と、前記支持具に端部をとりつけ、他端部を前記箱体の前記小口に臨む弾性体である帯状体が収納されており、その前記帯状体の他端部を前記小口より引き出すと、前記箱体に収納された前記筆記具が、前記帯状体とゝもに、前記箱体から外に進出し、それと同時に、引き出された前記帯状体は、前記筆記具より反対側に離れるように曲がる構成になっている。【０００５】  また、第２の課題解決手段は、前記箱体の小口の前記内側壁に、前記筆記具を軸方向にスライド可能に押しつける滑り止め部材を設け、前記滑り止め部材と、該滑り止め部材によって前記帯状体に押しつけられる前記筆記具とが、前記帯状体を前記内側壁とは反対側の内側壁に押しつけ係止する構成になっている。【０００６】  また、第３の課題解決手段は、前記筆記具の端部を収納する支持具内に、前記筆記具の端部を保持する滑り止め部材を設ける構成になっている。【０００７】  また、第４の課題解決手段は、前記筆記具と相対する前記帯状体側に、前記筆記具をスライド可能に押しつける滑り止め部材を設け、前記滑り止め部材と、該滑り止め部材によって前記箱体の内側壁に押しつけられた前記筆記具とが前記帯状体を前記内側壁とは反対側の内側壁に押しつけて係止する構成になっている。【０００８】  また、第５の課題解決手段は、前記帯状体の端部が、前記筆記具の端部を挟持して支持する形状に形成されているとゝもに、前記箱体の内側壁に押しつけられて、前記帯状体を係止する構成になっている。【０００９】  つぎに、上記第１の課題解決手段による作用は、すなわち、本考案の収納ケースは、前述のごとく、帯状体を小口より外に引き出すと、収納した筆記具も連動して箱体の外に進出するため、任意の長さの筆記具を全て引き出すことが出来る。また、引き出された帯状体は、筆記具とは反対側に離れるように曲がり、筆記具の先端部を手にて摘まみ易くして筆記具を取り出すようにしている。【００１０】  なお、第２の課題解決手段による作用は、収納ケースの箱体の小口が下方に向いても、筆記具は、箱体の内側壁に設けた滑り止め部材との摩擦により箱体からの落下を防ぐと同時に、筆記具が帯状体を内側壁に押しつけ係止させている。【００１１】  また、第３の課題解決手段による作用は、収納ケースの箱体の小口が下方に向いても、筆記具は、支持具内に設けた滑り止め部材との摩擦により箱体からの落下を防ぐようにしている。【００１２】  また、第４の課題解決手段による作用は、収納ケースの箱体の小口が下方に向いても、筆記具は、帯状体側に設けた滑り止め部材との摩擦により箱体からの落下を防ぐと同時に、滑り止め部材は帯状体をも箱体の内側壁に押しつけて係止させている。【００１３】  また、第５の課題解決手段による作用は、帯状体の端部にて筆記具を挟持するように支持するとゝもに、箱体の内側壁を押しつけて帯状体を係止している。
【考案の効果】
【００１４】  本考案の筆記収納ケースは、筆記具を軸方向より収納するため、ケースの外面を偏平状に形成することが出来、画用などの筆記用紙をこれに載せて手で持ちスケッチすることが出来るため、筆記具を画面の最も近くより取り出すことが出来る効果がある。【００１５】  また、使用頻度が異り、筆記具の長さに長短の差が生じても、全ての筆記具を収納ケースの小口より食み出させて取り出すことが出来る。【００１６】  また、箱体より引き出された帯状体は、弾性体であり、筆記具とは反対側に離れるように曲げ、筆記具の先端部を手にて摘まみ易くして筆記具を取り出すことが出来る。【００１７】  また、過って、箱体の小口を下方に向けても筆記具は箱体の外に飛び出さない。【００１８】  また、帯状体は引き出した任意の位置に係止することが出来る。【００１９】  また、本収納ケースを画板に取りつければ、大形の筆記用紙も使用出来る。
【図面の簡単な説明】
【００２０】
【図１】本考案の実施形態を示す筆記具収納ケースの斜視図
【図２】同筆記具収納ケースの筆記具を収納したときの側面断面図
【図３】同筆記具収納ケースの筆記具を取り出すときの側面断面図
【図４】同筆記具収納ケースの筆記具を取り出すときの側面断面図
【図５】同筆記具収納ケースの筆記具を取り出すときの側面断面図
【考案を実施するための形態】
【００２１】  以下、添付図面により本考案の実施例の形態を説明する。
図において、１は箱体で、小口１ａから筆記具である色鉛筆（以下、鉛筆）１０を軸方向に収納するようにした収納ケースで、箱体１には鉛筆１０の端部１０ａを支持する支持具２と、支持具２を端部３ａに取りつけ、他端部３ｂを止め具４を介して小口１ａに係止されている帯状体３を収納している（図２参照）。
【００２２】  つぎに、上記動作を説明する。先ず、小口１ａが上方に向くように、箱体１を手に持ち、鉛筆１０を取り出すときは、帯状体３の他端部３ｂに設けた止め具４を小口１ａより引き出せば、帯状体３の端部３ａにとりつけた支持具２もともに、内側壁１ｂに沿って小口１ａ方向に移動し、支持具２に支持された鉛筆１０を小口１ａより外に進出させ、先端部１０ｂを摘まみ、箱体１より取り出すことが出来る（図１，３，４参照）。
【００２３】  なお、これらの場合、帯状体３は弾性体である化合物質のシートで形成されており、小口１ａより外に引き出せば、鉛筆１０の反対側に離れて曲がり、鉛筆１０の先端部１０ｂを手にて摘まみ易くして、筆記具１０を取り出すようにしている。
【００２４】  また、小口１ａを下方に向けても鉛筆１０が落下しないよう支持具２に滑り止め部材（例えば、ブラシなどクッション性のあるもの）５を設けている（図２，３，４参照）。
【００２５】  つぎに、小口１ａより引き出した帯状体３と鉛筆１０を保持するために、小口１ａの内側壁１ｂに鉛筆１０を支持具２より出し入れする以外は保持する滑り止め部材６を設け、同時に、鉛筆１０が更に帯状体３を押しつけ係止させている（図３参照）。
【００２６】  その他、小口１ａより引き出した帯状体３を係止するためには、帯状体３側に設けて鉛筆１０を押さえる滑り止め部材５が同時に、帯状体３を箱体１の内側壁１Ｃに押しつけ係止させている（図４参照）。
【００２７】  また、帯状体３の端部３ａを鉛筆１０の端部１０ａを挟持するように形成し、かつ、箱体１の内側壁１ｂ、１ｃを押しつけ係止させている（図５参照）。
【００２８】  以上、箱体１は鉛筆１０を軸方向から収納するため、外面１ｄを偏平に形成でき、これに筆記用紙を載せて描けば、鉛筆１０の交換も最も画面の近くで行うことが出来る。
【００２９】  つぎに、収納時は、止め具４と共に鉛筆１０を帯状体３に載せたまゝ小口１ａより箱体１に押し込んで収納は完了する。
【符号の説明】
【００３０】１      箱体
１ａ    小口
１ｂ    内側壁
１ｃ    内側壁
１ｄ    外面
２      支持具
３      帯状体
３ａ    端部
３ｂ    他端部
４      止め具
５      滑り止め部材
６      滑り止め部材
１０    色鉛筆（筆記具）
１０ａ  端部
１０ｂ  先端部
【図１】
0003191480.tif 000003
【図２】
0003191480.tif 000004
【図３】
0003191480.tif 000005
【図４】
0003191480.tif 000006
【図５】
0003191480.tif 000007